(57)【要約】【課題】カラス等の鳥害を防止できるごみ集積装置を提供する。【解決手段】スリットを有する適宜サイズの箱体内底部に立設固定される固定軸と、固定軸周囲に位置する転動体と、回転軸とハンドルおよび載置板を有するとともに、回転軸内に固定軸を位置させて載置板下面を転動体上面に接触させてなる回転体を設け、その一端を回転軸に固定され他端をスリットを介して箱体外に位置させてなる可撓体を設け、該可撓体端および箱体外面適所に相互の係合手段を設け、箱体中間部の孔よりハンドルを突出させることにより、可撓体の巻き取りおよび展開を可能とし、一方、該箱体に連続して上方に位置する前面開放の箱部を形成するとともに、該箱部内に回動軸と箱部外にハンドルを設け、回動軸適所にネット取付金具を設けることにてネットの巻き取りおよび展開を可能としたことを特徴とする。【選択図】図６
0003140739.tif 000002
【実用新案登録請求の範囲】
【請求項１】
スリットを有する適宜サイズの箱体内底部に立設固定される固定軸と、固定軸周囲に位置する転動体と、回転軸とハンドルおよび載置板を有するとともに、回転軸内に固定軸を位置させて載置板下面を転動体上面に接触させてなる回転体を設け、その一端を回転軸に固定され他端をスリットを介して箱体外に位置させてなる可撓体を設け、該可撓体端および箱体外面適所に相互の係合手段を設け、箱体中間部の孔よりハンドルを突出させることにより、可撓体の巻き取りおよび展開を可能とし、一方、該箱体に連続して上方に位置する前面開放の箱部を形成するとともに、該箱部内に回動軸と箱部外にハンドルを設け、回動軸適所にネット取付金具を設けることにてネットの巻き取りおよび展開を可能としたことを特徴とするネット巻回型鳥害対策用ごみ集積装置。
【請求項２】
スリット下部もしくは上下部にガイド体を設けてなる請求項１記載のネット巻回型鳥害対策用ごみ集積装置。
【考案の詳細な説明】
【技術分野】
【０００１】  この考案は、ゴミ集積場に飛来するカラス等からの鳥害を防止する装置に関する。
【背景技術】
【０００２】  従来より、ゴミ集積場いわゆるゴミステーションには種々の形態のものが利用されているが、本案に示すように、所定高さおよび長さを有する蛇腹板およびネット巻き取り機構を利用するものは見あたらない。
【考案の開示】
【考案が解決しようとする課題】
【０００３】  上述のように、ゴミステーションには種々のものが利用されている。最もシンプルなものとしては、専用ネットを集積したゴミ上にかぶせて覆うものがある。しかしこれはゴミ量が多くなるとすべてのゴミを覆うことができずにネットから逸脱するゴミに対しての鳥害が発生する。一方、固定式装置も普及している。これはコンクリートや金属にて作られた所定容積内にゴミを投入するもので、ネットを併用する場合もある。
これは上記手段より有効であるが設置費用がかさみ、占有スペースも大きくなる。
近年、ゴミ集積場の数も増加し、手作りの集積場も見られる。鳥害を防ぐために所定サイズの板体を複数個紐でつなぎ、使用時にはこれを広げてこの中にゴミを入れるものもあるが、板体を広げたりまとめたりする手間がかかり、またゴミ投入スペースも十分とはいえない。
本案は、以上のような従来からのゴミ集積場に関わる課題を解決するために考案されたもので、簡易な装置でありながら鳥害を防止し、不使用時にはコンパクトに収納することのできる新規かつ有用なる装置を提供することを目的として開発されたものである。
【課題を解決するための手段】
【０００４】  課題を解決する手段として本案は以下の構成とした。
スリットを有する適宜サイズの箱体内底部に立設固定される固定軸と、固定軸周囲に位置する転動体と、回転軸とハンドルおよび載置板を有するとともに、回転軸内に固定軸を位置させて載置板下面を転動体上面に接触させてなる回転体を設け、その一端を回転軸に固定され他端をスリットを介して箱体外に位置させてなる可撓体を設け、該可撓体端および箱体外面適所に相互の係合手段を設け、箱体中間部の孔よりハンドルを突出させることにより、可撓体の巻き取りおよび展開を可能とし、一方、該箱体に連続して上方に位置する前面開放の箱部を形成するとともに、該箱部内に回動軸と箱部外にハンドルを設け、回動軸適所にネット取付金具を設けることにてネットの巻き取りおよび展開を可能とする。
本案は以上の構成よりなるネット巻回型鳥害対策用ごみ集積装置である。
【考案の効果】
【０００５】  本案によれば、箱体より所定巾の蛇腹板を適当長引き出してその端部を箱体所定個所に係合することにより、路面上に区画空間を出現させ、この空間内にごみ袋を多数収容し、使用後はハンドル操作にて蛇腹板を箱体内に収容することができるので、ネットを併用することにて集積されたごみ袋に対するカラス等からの鳥害を防止し、不使用時の路面占有スペースを小さくできる有用なる装置を提供することができる。また、ネットを回動軸に巻回して収納できるので、使用後の処置が容易となって外観上もスッキリとした便利なものとすることができる。
【考案を実施するための最良の形態】
【０００６】  以下、本考案の実施形態について説明する。
図において、１は木板による前面一部開放の収納箱で、その下部にはスリット２を有する前板３が取り付けられ、前板と直交して有孔の上板４が設けられている。上板上方には仕切り板５が上板と平行に設けられ、仕切り板上方には天板６が位置している。
７は角材による回動軸で、その両端は短円柱形に形成され、収納箱内面適所に取り付けられる有孔平板状の適宜支持部材に回動可能に挿入保持される。また、収納箱の対応個所に孔が穿設されてこの孔より回動軸の一端が露出し、ここに上部ハンドル８が取り付けられる。従って、この上部ハンドルの操作にて回動軸が回動可能である。
９は金属製Ｕ形のネット取付金具で、回動軸中央に設けられる。上板より下方は蛇腹板収納部１０である。
収納箱底板上面中央に管体による固定軸１１が固着立設し、この固定軸の周囲底板上面には転動体としてのボールキャスター１２が三等配に取り付けられる。
１３は回転体である。この回転体は、中央に角穴を有する所定径の円板による載置板１４の中央に中空角体による回転軸１５が固着立設され、回転軸上面に適宜部材を介して下部ハンドル１６が螺着にて設けられたものである。この回転体は図４に示すように、回転軸内に固定軸を位置させるとともに、載置板下面がボールキャスターに接して位置し、回転自由である。なお、このとき下部ハンドルは前記の孔より上方に突出する。
１７は可撓体としての蛇腹板で、リブを有する長尺合成樹脂板を所定間隔にて加熱圧着した市販品で巻回自由であり、この蛇腹板の一端は回転軸側面に固定され、他端は端板１８に固定される。端板はスリット全長よりやや長めの細長板体に別板を直角に固着したもので、別設の板体にてビスにて蛇腹板を押圧挟持している。この端板は収納箱外方に位置し、従って、蛇腹板の一部は収納箱内に位置し、他部はスリットを通過して外方に位置する。１９は端板に取り付けられる略Ｕ形の下向きの先端部を有する湾曲棒体による係合金具、２０は収納箱の正面視右方上下に取り付けられるＵ形棒体による係合金具、２１は収納箱両側面に設けられる取っ手である。【０００７】  本案を使用する前に以下の準備を行う。
市販のゴミステーション用ネットを用意し、適宜長の紐にてネットの端を前記ネット取付金具に結びつけ、ハンドル操作にてこのネットを回動軸に巻き取る。
本案を使用するには、まず路面適所に本装置を置く。そして、紐や鎖あるいは針金等にて近傍の固定物に、取っ手２１を利用して本装置を結びつける。これにて本装置の位置が安定する。次に、係合金具１９をつまんで前に引くことにて回転体が回転して蛇腹板がスリットより引き出され、適当長引き出した後、係合金具の１９と２０を係合させる。以上の操作にて路面上に区画空間が形成される。
そして上部ハンドルを回して回動軸を回動させることにてネットは収納箱前方に繰り出され、このネットを広げてこの区画空間上部に覆い被せる。
持ち寄ったごみ袋は、ネットを少し持ち上げてこの区画空間内に投入する。
蛇腹板にて路面から所定位置までこの蛇腹板が位置し、また蛇腹板上面はネットにて覆われているため、ごみ袋が露出することがなく、カラス等の鳥害を防止することができる。
ごみ収集後は上部ハンドルを回してネットを巻き取り、下部ハンドルを回すことにて回転体が回転して蛇腹板を巻き取り、巻き取られた蛇腹板は載置板上に巻回されて位置し、端板はスリットに接して位置し、区画空間はなくなってコンパクトになる。
路面上には収納箱が位置するので、路面上の専有面積が小さくなる。
図５は本案の別例を示すもので、スリット下端内面近傍にガイド体としての丸棒３０を取り付けたものである。装置の構成上、スリット下端は路面よりやや上方に位置するので、引き出した蛇腹板は次第に下降して路面に接する。従って、載置板上面に対して蛇腹板下端は若干の傾斜を有することとなり、蛇腹板巻き取り時においてその下端がスリット下端に接しながら移動する。このとき、スリット断面に丸みがないとその摩擦にて蛇腹板を損傷する恐れがある。これを防止するためにこのガイド体を設けたものであり、蛇腹板は載置板とほぼ同一高さにて巻き取られてスムースに巻回させることができる。また、蛇腹板引き出し時も同様の効果がある。この丸棒はスリット上下縁に設けてもよい。この場合は、蛇腹板をやや持ち上げ気味に引き出す場合にも有効である。なお、丸棒に代えて円筒、丸みを有する小板体などを用いてもよい。【０００８】  以上、本案について記したが、本案は蛇腹板にて路面上の区画空間を出現させ、この中にごみ袋を投入するとともに上面をネットで覆い、また、このネットをハンドル操作にて巻き取って回動軸に巻回収納できるところにその特徴を有し、使用後はこの蛇腹板を箱内に収納できるものである。従来より、所定サイズのネットにて路上に置かれたごみ袋を覆う方式が多用されているが、ごみ量によってはこのネットからはみ出すことがある。これをカラスがつついてごみ袋を破り、中のごみを食して路上に散乱させ、不快臭・不快景観を出現させ、問題となっている。既述の別手段もあるがコスト面や専有面積等の点において十分なものではなかった。しかるに本案にてこれらの問題が解決されるものとなったのである。なお、既述の例では、木板にて制作するものとしたが、金属板など他の素材にて制作してもよい。また、使用したボールキャスター以外の他の転動体を用いてもよく、蛇腹板に代えて他の可撓体を用いてもよい。回動軸を角材に代えて丸棒や円筒を用いてもよい。例示のものは一体の収納箱としたが、蛇腹板収納部と他部を分離可能に設けてもよく、収納箱の前面開放部に開閉扉を設けてもよく、この場合はネット等への雨水ぬれを防ぐことができる。例示では蛇腹板端に端板を設けており、この端板サイズを適宜に選択することにて、蛇腹板収納時には端板にてスリットを覆うこととなって雨天時などのスリットからの雨水の浸入を極小とすることができる。また、下部ハンドル上方に仕切り板を設けたので、ネット巻き取り時や引き出し時のネットのハンドルへの絡みをを防止することができる。以上のごとく、本案によって鳥害を防止できる有用なるごみ集積装置を得ることができる。
【図面の簡単な説明】
【０００９】
【図１】  本考案の正面図（蛇腹板収納時）
【図２】  本考案の右側面図
【図３】  本考案の回転体の斜視図
【図４】  本考案の要部説明図
【図５】  本考案の別例の要部説明図（蛇腹板展開時）
【図６】  本考案の使用説明図
【符号の説明】
【００１０】  １  収納箱
２  スリット
３  前板
４  上板
５  仕切り板
６  天板
７  回動軸
８  上部ハンドル
９  ネット取付金具
１０  蛇腹板収納部
１１  固定軸
１２  ボールキャスター
１３  回転体
１４  載置板
１５  回転軸
１６  下部ハンドル
１７  蛇腹板
１８  端板
１９  係合金具
２０  係合金具
２１  取っ手
２２  ネット
３０  丸棒
【図１】
0003140739.tif 000003
【図２】
0003140739.tif 000004
【図３】
0003140739.tif 000005
【図４】
0003140739.tif 000006
【図５】
0003140739.tif 000007
【図６】
0003140739.tif 000008